(57)【要約】【課題】光演出による遊技の趣向性を確保し、製造コストを安くし、量産可能とする。【解決手段】遊技盤２６に設けたセンター役物３０の両側の領域に加飾体１が設置され、この加飾体１は、スクリーン印刷メジウムインクに酸硫化イットリウムを８％〜２０％の重量濃度で含有するインクを、透光板の主面１ａの片面に印刷することによりインク層２が印刷され、発光装置５０が加飾体１の側部に設置され光を供給するようになっており、発光装置５０は発光ダイオード等の図示しない光源を備え、発光装置５０からの光が加飾体１の端面１ｂに当たるように設定され、透光板の端面１ｂから光を入射させ、主面１ａから外部に放出される光をインク層２が拡散させる。【選択図】        図２
2010000208.tif 000002
【特許請求の範囲】
【請求項１】
スクリーン印刷メジウムインクに酸硫化イットリウムを８％〜２０％の重量濃度で含有するインクを、透光板又は透光シートの主面の上に印刷することによりインク層を形成し、
該透光板又は透光シートの端面から光を入射させ、前記主面から外部に放出される光を前記インク層が拡散させることを特徴とする遊技機の加飾体。
【発明の詳細な説明】
【技術分野】
【０００１】
パチンコ機の加飾体の製造コストを削減するとともに光の反射拡散効果を高めることで電飾効果を格段に高める。
【背景技術】
【０００２】
特許文献１に示す通り、遊技盤２の遊技領域１には、図柄表示装置３、電飾装置４及びその他の周知の役物、装飾品６が設けられている。該装飾品６はその外側を遊技球が流下するハウジング５に収納されている。装飾品６の上方には所定の遊技条件が成立した時に点灯される発光ダイオード７ａ、７ｂが、それぞれはプリント基板９に直接取り付けられている。図柄８がプリント基板９にシルクスクリーン印刷によって発光ダイオード７ａ、７ｂの上方に印刷されている。該図柄８と発光ダイオード７ａ、７ｂは、遊技者により視認できる位置である。その結果、発光ダイオード７ａ、７ｂが点灯されると、前記装飾品６、発光ダイオード７ａ、７ｂ、図柄８により、あたかもパイプから煙が出ているような演出がなされ、遊技盤の見栄えをよくする発明が提案されている。
【０００３】
特許文献２に示す通り、発光体１１６と、発光体１１６からの光を受光可能な位置に設けられ、発光体１１６の光を透過せしめる透過印刷部１１２ｂとの間に、光屈折部材２００を構成する光屈折部材固定シート１１３を設け、趣向性を高める発明が提案されている。
【０００４】
特許文献３に示す通り、遊技盤に設ける電飾の位置の自由度を高めるため、遊技盤１０は、透明シート１６に透光性の印刷層１９を設け、台紙１４には印刷層１９に対応する位置に通光孔１４ａを設けて、盤本体１２には印刷層１９に対応する位置に光源収容孔１２ａを設けて、光源収容孔１２ａ内に配されたＬＥＤ２２から放射される光を印刷層１９から放出可能としたので、印刷層１９が電飾になる。電飾となる印刷層１９は印刷によって形成されるので、透明シート１６の製造工程は複雑化しない。印刷層１９を設ける位置は事実上制限がないから電飾位置の選択における自由度はきわめて大きい。
【０００５】
特許文献４に示す通り、電飾図柄の輪郭形状が明瞭化することができる電飾装置の製造方法を提供するため、電飾装置３０の前面板４０に文字及び／又は図柄をシルクスクリーン印刷により印刷する第１の印刷工程と、前面板４０の周縁部分をインクジェット印刷により印刷する第２の印刷工程とを含むようにした発明が提案されている。
【０００６】
【特許文献１】特開2004-049472号公報
【特許文献２】特開2003-325738号公報
【特許文献３】特開2004-065642号公報
【特許文献４】特開2008-093303号公報
【発明の開示】
【発明が解決しようとする課題】
【０００７】
しかしながら、従来の発明でも、ある程度の光演出による趣向性は確保できるが、製造コストが高く、量産には不向きであるという問題があった。
【課題を解決するための手段】
【０００８】
上記課題に鑑み、本発明は、スクリーン印刷メジウムインクに酸硫化イットリウムを８％〜２０％の重量濃度で含有するインクを、透光板又は透光シートの主面の上に印刷することによりインク層を形成し、該透光板又は透光シートの端面から光を入射させ、前記主面から外部に放出される光を前記インク層が拡散させることを特徴とする遊技機の加飾体とする。
【０００９】
「スクリーン印刷」は、孔版印刷の一種で、版にスクリーンを利用し、版自体に穴をあけ、そこからインクを擦りつける印刷方式である。「メジウムインキ」とは、印刷用着色インキの濃度調整や光沢付与剤として使用される透明インキである。このインクは蛍光でも非蛍光のいずれでもよい。「透明板」はプラスチック板、ガラス板が好ましく、「透明シート」はプラスチックシート、ガラスシートが好ましいが、限定されるわけではない。
【発明の効果】
【００１０】
加飾体１によれば、透光板又は透光シートの側面から光を入射させ、酸硫化イットリウムを含むインク層で拡散させた後に主面からメジウム色の光が放射されるので、透明性が高まるとともに反射拡散効果が高くなる。酸硫化イットリウムの重量濃度の調整による発光量の制御が可能である。インク層の大量生産を安価に行うことができる。
【発明を実施するための最良の形態】
【００１１】
以下、本発明の実施形態を図面を参照して説明する。尚、本発明の実施の形態は、下記の各実施形態に何ら限定されるものではなく、本発明の技術的範囲に属する限り種々の形態を採り得ることは無論である。
【００１２】
本実施形態では、弾球遊技機２０に、本発明の遊技機の加飾体を適用させた一例である。図１に示す通り、弾球遊技機２０は、前面枠２１、機枠２２、操作ハンドル２３、上皿２４、下皿２５、遊技盤２６、板ガラス２７、表示装置２８、センター役物３０、電動役物３１、大入賞装置３２等から構成される。表示装置２８は、遊技盤２６の中央に配置されて３つの特別図柄を変動表示させる特別図柄表示装置を構成する。
【００１３】
図２はセンター役物３０単体を示す斜視図であり、センター役物３０は、遊技盤２６の略中央部分に取り付けられ、表示装置２８を取り囲むように延びる環状に形成された装飾構造物として機能する。また、センター役物３０は、遊技内容に応じて電飾表示態様を変化させることで、遊技者の興趣を高めるものである。
【００１４】
この遊技盤２６に設けたセンター役物３０の両側の領域に加飾体１が設置されている。この加飾体１は、スクリーン印刷メジウムインクに酸硫化イットリウムを８％〜２０％の重量濃度で含有するインクを、透光板の主面１ａの片面に印刷することによりインク層２が印刷されている。発光装置５０が加飾体１の側部に設置され光を供給するようになっている。発光装置５０は発光ダイオード（ＬＥＤ）等の図示しない光源を備え、発光装置５０からの光が加飾体１の端面１ｂに当たるように設定されている。これにより、透光板の端面１ｂから光を入射させ、主面１ａから外部に放出される光をインク層２が拡散させるようになっている。
【００１５】
〔実施例１〕
組成が、重量濃度比でトルエン0.0〜1.0％、シクロヘキサノンが20.0〜50.0％、芳香族炭化水素系溶剤が1.0〜20.0％、ケトン系溶剤1.0〜20.0％、多価アルコール系溶剤0.0〜10.0％、着色顔料（体質顔料含む）0.0〜60.0％、塩酢ビ・アクリル系樹脂10.0〜30.0％、補助剤0.0〜10.0％のスクリーン印刷メジウムインクを作成する。このスクリーン印刷メジウムインクに１５％の酸硫化イットリウムを配合する。そして、前記の配合したインクを、透明アクリル樹脂板またはガラス板の表面に模様として100線までのシルクスクリーン印刷を行い加飾体１とする。この透明アクリル樹脂板又はガラス板を遊技盤２６の遊技領域に取り付ける。スクリーン印刷により表面に模様を形成したが、無模様一色の印刷としても良い。酸硫化イットリウムの添加量によって発光量を調整できる。
【００１６】
本実施形態の動作を説明する。発光装置５０が発光すると、加飾体１の端面１ａから導光され、インク層で拡散し、加飾体１の主面１ｂから外部に放散する。遊技者は加飾体１の蛍光発光を視認できる。
【００１７】
また、本実施形態によれば、加飾体１が電動役物３１又は大入賞口３２などへの入賞時に点灯する。このとき、酸硫化イットリウムの作用により透明性を高めるとともに反射拡散効果を高め、メジウム色特有の発光により、遊技の趣向性が高くなる。酸硫化イットリウムの重量濃度の調整による発光量の制御が可能である。このように、趣向性の高い遊技を、低コストで量産化された加飾体１が可能とする。
【００１８】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。たとえば、バックライトを設けることで、拡散効果を高めることもできる。
【図面の簡単な説明】
【００１９】
【図１】本実施形態の加飾体が弾球遊技機に適用された正面図である。
【図２】本実施形態の加飾体と発光装置を示す斜視図である。
【符号の説明】
【００２０】
１・・・加飾体  １ａ・・・主面  １ｂ・・・端面  ２・・・インク層
２０・・・弾球遊技機  ２１・・・前面枠  ２２・・・機枠  ２３・・・操作ハンドル  ２４・・・上皿  ２５・・・下皿  ２６・・・遊技盤
２７・・・板ガラス  ２８・・・表示装置  ３０・・・センター役物
３１・・・電動役物  ３２・・・大入賞装置  ５０・・・発光装置
【図１】
2010000208.tif 000003
【図２】
2010000208.tif 000004